(57)【要約】      （修正有）【課題】宝くじ購入者が当外の確認を行う労力を軽減すると共に、当たり籤の引き換え忘れがないようにし、万一盗難・紛失等によって、販売店に当たり籤を持ち込み不能となった購入者にも、当選金と引き換え可能な方法の提供。【解決手段】ＲＦＩＤタグ付き宝くじ券を管理するシステムであって、宝くじ番号管理データベースを備えた宝くじ券管理サーバと、ユーザ端末とを備え、該ＲＦＩＤタグには宝くじ番号と販売店舗情報とが記録され、該データベースには当選宝くじ番号テーブルと、ユーザの識別番号と連絡先の購入者情報テーブルと、販売店舗テーブルと、ユーザが購入した宝くじ番号と販売店舗とを登録する購入宝くじ券情報テーブルとを備え、該端末はＲＦＩＤタグ情報を前記管理サーバに送信し、該管理サーバは宝くじ抽選後に当選宝くじ番号テーブルを更新し、該当選宝くじ番号と接続ユーザの購入宝くじ券情報とを照合し、前記ユーザに抽選結果を通知する。【選択図】図１
2007323597.tif 000002
【特許請求の範囲】
【請求項１】
ＲＦＩＤタグ付きの宝くじ券を管理するシステムであって、
宝くじ番号が印字された宝くじ券に、ＲＦＩＤタグを添付する手段と、
ユーザとネットワークを介して接続され、宝くじ番号管理データベースを備えた宝くじ券管理サーバと、
ユーザが使用する端末機と、
を備え、
該ＲＦＩＤタグには、少なくとも宝くじ番号と、販売した店舗の情報とが記録され、
該データベースには、当選番号を記録する当選宝くじ番号テーブルと、登録ユーザの識別番号と連絡先を登録する購入者情報テーブルと、販売店舗を登録する販売店舗テーブルと、登録ユーザが購入した宝くじ番号と販売店舗とを登録する購入宝くじ券情報テーブルと、を備え、
該端末機は、ＲＦＩＤタグの情報を読み込み、前記管理サーバに対して該情報を送受信する手段を備え、
該管理サーバは、宝くじの抽選後に前記データベースの当選宝くじ番号テーブルを更新する手段と、該当選宝くじ番号と接続ユーザの購入宝くじ券情報とを照合する手段と、前記ユーザの連絡先に抽選結果を通知する手段と、を有することを特徴とする、ＲＦＩＤタグ付き宝くじの管理システム。
【請求項２】
前記端末機が、該端末機上で稼働するアプリケーションを具備し、
該アプリケーションは、前記管理サーバから自己が過去に購入した宝くじ券に関する履歴を受信し、該履歴を加工する機能を有することを特徴とする、請求項１に記載のＲＦＩＤタグ付き宝くじの管理システム。
【請求項３】
前記ＲＦＩＤタグに、印字されている宝くじ番号とは別個の「おまけ宝くじ番号」を記録し、
印字された宝くじ番号の抽選発表と同時に、該おまけ宝くじの当選発表を行うことを特徴とする請求項１又は２に記載のＲＦＩＤタグ付き宝くじの管理システム。
【請求項４】
ＲＦＩＤタグ付きの宝くじ券を管理するシステムであって、
宝くじ番号が印字されない宝くじ券に、ＲＦＩＤタグを添付する手段と、
ユーザとネットワークを介して接続され、宝くじ番号管理データベースを備えた宝くじ券管理サーバと、
ユーザが使用する端末機と、
を備え、
該ＲＦＩＤタグには、少なくとも宝くじ番号が記録され、
該データベースには、当選番号を記録する当選宝くじ番号テーブルと、登録ユーザの識別番号と連絡先を登録する購入者情報テーブルと、登録ユーザが購入した宝くじ番号を登録する購入宝くじ券情報テーブルと、を備え、
該端末機は、ＲＦＩＤタグの情報を読み込み、前記管理サーバに対して該情報を送受信する手段を備え、
該管理サーバは、宝くじの抽選後に前記データベースの当選宝くじ番号テーブルを更新する手段と、該当選宝くじ番号と接続ユーザの購入宝くじ券情報とを照合する手段と、前記ユーザの連絡先に抽選結果を通知する手段と、を有することを特徴とする、ＲＦＩＤタグ付き宝くじの管理システム。
【請求項５】
ＲＦＩＤタグ付きの宝くじ券を管理する方法であって、
宝くじ番号が印字された宝くじ券に、ＲＦＩＤタグを添付する工程と、
該ＲＦＩＤタグに、少なくとも宝くじ番号と、販売した店舗の情報とを記録する工程と、
ユーザ識別番号と連絡先とを予め宝くじ番号管理データベースに登録する工程と、
購入した宝くじ券に添付されたＲＦＩＤタグの情報を、管理サーバに送信する工程と、
購入した宝くじ券を紛失した際、前記宝くじ番号管理データベースの購入宝くじ券情報テーブルに紛失した旨を登録する工程と、
当該紛失券に対して、前記管理サーバから購入者に再発行通知を送信する工程と、
宝くじの抽選後に当選宝くじ番号テーブルを更新する工程と、
該更新された当選宝くじ番号と、登録ユーザの購入宝くじ券情報とを照合する工程と、を備え、
前記購入宝くじ券情報に紛失した旨の記載があった場合には、前記再発行通知を提示した者に当選金を支払うことを特徴とする、ＲＦＩＤタグ付き宝くじの管理方法。
【発明の詳細な説明】
【技術分野】
【０００１】
本発明は、既存の宝くじ券に、該券毎の情報を記録したＲＦＩＤタグを添付し、又該タグに購入者の情報を付加することによって、宝くじ券を管理するシステムおよびその方法に関する。
【背景技術】
【０００２】
近年、宝くじは全国自治宝くじ（所謂「ドリームジャンボ」）やスポーツ振興くじ（所謂「ｔｏｔｏ」）等、多種多様に進化し、多くの人々によって購入されている。これに伴って賞金の金額も増額され、購入者にとってはより身近に、そしてより大きな夢を抱くものとなっている。
【０００３】
一方、ＩＣタグを中心とするＲＦＩＤは、ユビキタス社会の期待の星として高い注目を集めており、例えば、ＪＲの改札口で定期券をタッチまたはかざすだけで通過できるＪＲ東日本の「Ｓｕｉｃａ」等、既に実用段階に入っているソリューションもいくつか登場し始めている（例えば、特許文献１参照）。
ＲＦＩＤはバーコード等と異なり、タグに登録された情報に書き込みが可能であるばかりか、複数タグの同時読取りや、遮蔽物を透過しての認識も可能である。又、汚れに強いという特長も有しており、軽量化・微小化されて急加速に普及している。
【０００４】
【特許文献１】特許第３７２５３０３号公報（段落番号０００６〜００１９）
【発明の開示】
【発明が解決しようとする課題】
【０００５】
宝くじは、購入した籤を販売店に持ち込んで当外を調べてもらう行為も含めて、当外を調査するのは、購入者の意志に委ねられている。しかも、券を購入してから抽選が行われるまで数日を要するため、抽選後の当外確認を忘れてしまったり、又は、せっかく当選した券を引き替え忘れたり、更には紛失してしまったりすることさえある。
更に、当選発表された宝くじ番号は桁数も大きいことから、購入者が目視によって当外確認を行う場合には、購入枚数に比例して非常に手間のかかる作業となっている。その結果、照合の誤りが発生する可能性が高い。
【０００６】
上記問題点に鑑み、本発明は、宝くじの購入者が当外の確認を行う労力を軽減すると共に、当たり籤を引き換え忘れることがないようにすることを目的とする。
又、本発明は、万一盗難・紛失等によって、販売店に当たり籤を持ち込み不能となった購入者においても、当選金と引き換えが可能とすることを目的とする。
加えて本発明は、宝くじの購入者に、自己が過去に購入した番号の履歴や当選金額等の情報を付加サービスとして提供し、宝くじにアミューズメント的要素を加味させることを目的とする。
更に本発明は、宝くじ券に添付されたＲＦＩＤタグ内にのみ記録され、外部からは目視できない「おまけくじ番号」を付与することによって、従来にない全く新しいジャンルの宝くじシステムを提供することを目的とする。
【課題を解決するための手段】
【０００７】
上記の目的を達成するべく、本発明は以下の構成を提供する。
（１）請求項１に係るＲＦＩＤタグ付き宝くじ管理システムは、宝くじ番号が印字された宝くじ券に、ＲＦＩＤタグを添付する手段と、ユーザとネットワークを介して接続され、宝くじ番号管理データベースを備えた宝くじ券管理サーバと、ユーザが使用する端末機と、を備え、該ＲＦＩＤタグには、少なくとも宝くじ番号と、販売した店舗の情報とが記録され、該データベースには、当選番号を記録する当選宝くじ番号テーブルと、登録ユーザの識別番号と連絡先を登録する購入者情報テーブルと、販売店舗を登録する販売店舗テーブルと、登録ユーザが購入した宝くじ番号と販売店舗とを登録する購入宝くじ券情報テーブルと、を備え、該端末機は、ＲＦＩＤタグの情報を読み込み、前記管理サーバに対して該情報を送受信する手段を備え、該管理サーバは、宝くじの抽選後に前記データベースの当選宝くじ番号テーブルを更新する手段と、該当選宝くじ番号と接続ユーザの購入宝くじ券情報とを照合する手段と、前記ユーザの連絡先に抽選結果を通知する手段と、を有することを特徴とする。
【０００８】
（２）請求項２に係るＲＦＩＤタグ付き宝くじ管理システムは、請求項１において、前記端末機が、該端末機上で稼働するアプリケーションを具備し、該アプリケーションは、前記管理サーバから自己が過去に購入した宝くじ券に関する履歴を受信し、該履歴を加工する機能を有することを特徴とする。
【０００９】
（３）請求項３に係るＲＦＩＤタグ付き宝くじ管理システムは、請求項１又は２において、前記ＲＦＩＤタグに、印字されている宝くじ番号とは別個の「おまけ宝くじ番号」を記録し、印字された宝くじ番号の抽選発表と同時に、該おまけ宝くじの当選発表を行うことを特徴とする。
【００１０】
（４）請求項４に係るＲＦＩＤタグ付き宝くじ管理システムは、宝くじ番号が印字されない宝くじ券に、ＲＦＩＤタグを添付する手段と、ユーザとネットワークを介して接続され、宝くじ番号管理データベースを備えた宝くじ券管理サーバと、ユーザが使用する端末機と、を備え、該ＲＦＩＤタグには、少なくとも宝くじ番号が記録され、該データベースには、当選番号を記録する当選宝くじ番号テーブルと、登録ユーザの識別番号と連絡先を登録する購入者情報テーブルと、登録ユーザが購入した宝くじ番号を登録する購入宝くじ券情報テーブルと、を備え、該端末機は、ＲＦＩＤタグの情報を読み込み、前記管理サーバに対して該情報を送受信する手段を備え、該管理サーバは、宝くじの抽選後に前記データベースの当選宝くじ番号テーブルを更新する手段と、該当選宝くじ番号と接続ユーザの購入宝くじ券情報とを照合する手段と、前記ユーザの連絡先に抽選結果を通知する手段と、を有することを特徴とする、ＲＦＩＤタグ付き宝くじの管理システム。
【００１１】
（５）請求項５に係るＲＦＩＤタグ付き宝くじ管理方法は、宝くじ番号が印字された宝くじ券に、ＲＦＩＤタグを添付する工程と、該ＲＦＩＤタグに、少なくとも宝くじ番号と、販売した店舗の情報とを記録する工程と、ユーザ識別番号と連絡先とを予め宝くじ番号管理データベースに登録する工程と、購入した宝くじ券に添付されたＲＦＩＤタグの情報を、管理サーバに送信する工程と、購入した宝くじ券を紛失した際、前記宝くじ番号管理データベースの購入宝くじ券情報テーブルに紛失した旨を登録する工程と、当該紛失券に対して、前記管理サーバから購入者に再発行通知を送信する工程と、宝くじの抽選後に当選宝くじ番号テーブルを更新する工程と、該更新された当選宝くじ番号と、登録ユーザの購入宝くじ券情報とを照合する工程と、を備え、前記購入宝くじ券情報に紛失した旨の記載があった場合には、前記再発行通知を提示した者に当選金を支払うことを特徴とする。
【発明の効果】
【００１２】
本発明のＲＦＩＤタグ付き宝くじ管理システムによれば、以下の効果を奏する。
（１）既存の宝くじ購入サービスの利点はそのままに、ＲＦＩＤタグの情報付加機能を併持させることができる。付言すれば、発行後の紙ベース券にＲＦＩＤタグを添付することにより、様々な情報を追加記録することが可能となる。
【００１３】
（２）本システムの登録ユーザに対しては、宝くじの抽選後、自動的に当外通知が発せられる。従って、目視による当外確認の手間が省けるほか、当たり番号との照合誤りを防ぐことが可能である。
又、当外の確認を忘れることがなくなるため、当選金の引き換え率向上に寄与するものである。
【００１４】
（３）当たり券を紛失したり、盗難に遭ったりした場合にも、登録ユーザであれば当選金と引き換えが可能となる。更に、真の購入者以外の者が換金しようとした場合に、販売券と購入者関係にないことが確認されるため、不正を未然に防ぐことが可能である。
【００１５】
（４）宝くじの購入者に、自己が過去に購入した番号の履歴や当選金額等の情報を付加サービスとして提供する。これによって、登録ユーザは、自己の実績を参照したり、更には今後の対策等に役立てることが可能となるため、宝くじにアミューズメント的要素を加味することができる。
【００１６】
（５）宝くじ券に添付されたＲＦＩＤタグ内にのみ記録され、外部からは目視できない「おまけくじ番号」を付与することによって、従来にない全く新しいジャンルの宝くじシステムを導入することが可能である。
【発明を実施するための最良の形態】
【００１７】
以下、本発明の実施の一形態について、図面を参照しながら具体的に説明する。
図１は、本発明によるＲＦＩＤタグ付き宝くじ管理システムの形態の一例を示す機能ブロック図である。
本システムは、宝くじ券にＲＦＩＤタグを添付する手段を有する製造工場１と、該製造工場１内のＲＦＩＤタグ書き込み装置１１と、販売店２と、該販売店の情報をＲＦＩＤタグに書き込む装置２１と、ユーザ３が使用する端末機３１と、宝くじ番号管理データベース４を備えた宝くじ券管理サーバ５と、該データ送受信装置３２上で稼働するアプリケーション６と、から構成されている。
又、該端末機３１は、ＲＦＩＤタグの情報を読み込み、またデータ送受信機能を具備している。
更に、該宝くじ番号管理データベース４は、当選宝くじ番号テーブル４１と、購入者情報テーブル４２と、販売店舗テーブル４３と、購入宝くじ券情報テーブル４４と、を備えている。
該宝くじ券管理サーバ５は、データベース（以下「ＤＢ」と記す。）更新部５１と、検索処理部５２と、送受信部５３と、を具備している。
又、ＲＦＩＤタグ付き宝くじ券をＡ、該券に付与されたＲＦＩＤタグをＡ１、券を包装するＲＦＩＤタグ付きの包装物（例えば、帯等）をＢ、該包装物Ｂに付与されたＲＦＩＤタグをＢ１で示している。
【００１８】
製造工場１は、既存の宝くじ券にＲＦＩＤタグＡ１を添付する。また、券毎に印刷されている宝くじ番号と同じ情報を、該ＲＦＩＤタグＡ１に書き込む。但し、宝くじ番号で一意に券を識別できない場合には、別に宝くじ識別番号を付与するものとする。
ＲＦＩＤタグ付き宝くじ券Ａの販売店２は、販売する際に券を包装する帯に、ＲＦＩＤタグＢ１を添付する。また、店名や店舗ＩＤ等の販売店舗情報を、該ＲＦＩＤタグＢ１に書き込む。
【００１９】
ユーザ３は、販売店２からＲＦＩＤ付きの宝くじ券Ａを購入し、該券に付与されているＲＦＩＤタグＡ１の情報及び、包装用の帯Ｂに付与されているＲＦＩＤタグＢ１の情報を、前記端末機３１で読み込む。
更にユーザ３は、前記読み込んだ情報と、予め付与されている購入者ＩＤとを、前記端末機３１から宝くじ券管理サーバ５へアプリケーション６を介して送信する。この操作を行うことにより、宝くじ券Ａとユーザ３との間に購入関係が発生し、どの券Ａがどのユーザ３に購入されたのかが判別可能となる。
【００２０】
抽選後、該管理サーバ５は、宝くじ番号管理データベース４に接続し、ユーザ３に抽選結果を通知する（図３）。
これにより、ユーザ３は購入した券の中に当選した券があることを自動的に知ることができ、当たりくじの引き換え忘れを防ぐことができる。
【００２１】
当選券がある旨の通知を受領した購入者は、従来と同様な方法によって当選券を換金する。
その際、換金所では、券が真に当選番号のものか否かを、ＲＦＩＤタグに記録されている情報から一括検索できる。更に、換金所では、前記購入者情報テーブル４２に記録されている購入者ＩＤ４２１を有するか否かを換金者に確認する。これによって、真に券の購入者のみが換金できることとなる。
従って、不正に当たり券を奪取した者が当選金と券とを交換しようとした際には、券Ａと所持者との間に前記購入関係がないことが判明するため、引き換え不能となる。
【００２２】
ところで、従来では購入券の番号を事前に控える等して、購入者が自分の買った券の中に当たり券があることがわかっていた場合であっても、券を喪失してしまったら換金は不能となっていた。
しかし、本システムの登録ユーザは、万一券自体を紛失してしまった場合でも、当選金を取得することができる。
即ち、登録ユーザ３が購入した券を喪失した場合には、管理データベース４の後述する購入宝くじ券情報テーブル４４の紛失欄４４４に紛失した旨の記録（例えば、ｔと記録する）を付加する手続を行う。そうするとこれに応じて、当該紛失券に対しては、前記宝くじ券管理サーバ５から再発行通知が購入者に対し発せられる。券の紛失者は該再発行通知を換金所にて提示することにより、当選金を獲得できるものとする。
【００２３】
上述のように、従来では当選券を紛失してしまった場合に、購入者が真にその当選券を購入したという証明をすることができなかったため、当選金を受け取れないという問題があった。
ところが、本システムを利用することによって、登録ユーザは購入券と自身とが購入関係にあることを証明することが可能となるため、券自体を紛失しても当選金を受け取ることができるのである。
他方、不正に当選券を取得した者が、当該当選券を換金しようとした場合には、換金所にて券のＲＦＩＤタグ情報から、真の購入者に紛失された券である旨の記録が示される。これにより、不正な換金を防止することも可能となる。
【００２４】
図２に、宝くじ番号管理データベース４の構成図を示す。
前記当選宝くじ番号テーブル４１は、当選番号４１１と、宝くじの等級４１２とが記録され、抽選毎に更新される。
前記購入者情報テーブル４２は、購入者ＩＤ４２１と、購入者名４２２と、購入者のメールアドレス４２３とが登録される。該購入者ＩＤ４２１は、本システムを利用する旨の契約をした際に付与される一意の識別番号であって、前記宝くじ券管理サーバ５により発行・通知が行われる。
前記販売店舗テーブル４３は、販売店ＩＤ４３１と、販売店名４３２とが記録され、全販売店に関する情報が登録される。
前記購入宝くじ券情報テーブル４４は、宝くじ番号４４１と、購入者識別番号４４２と、販売店ＩＤ４４３と、紛失欄４４４とが記録される。該紛失欄４４４には、購入された券が紛失された場合には、例えばｔ（ｔｒｕｅ）が記録される。
【００２５】
図４は、ユーザ３の使用する端末機３１における処理の流れを示すフローチャート図である。
ユーザ３は、端末機３１上で、アプリケーション６を起動する（ステップ：Ｓ４０１）。
ＲＦＩＤタグ付き宝くじ券を検索するモードか、購入履歴や勝率等を参照する参照モードかを選択する（ステップ：Ｓ４０２）。
検索モードを選択すると、ユーザの購入した宝くじ券に添付されているＲＦＩＤタグの情報が検索される（ステップ：Ｓ４０３）。
検索が終了すると、認識された宝くじ券の枚数及びそのＩＤが表示される（ステップ：Ｓ４０４）。
ユーザ３は、Ｓ４０４で認識が正しく行われたかをチェックし、再検索するか否かを選択する（ステップ：Ｓ４０５）。購入枚数より認識枚数が少ない等の不具合が生じた場合には、再びステップＳ４０４に戻って再検索を行い、再度検索した結果を表示させる。
【００２６】
次に、検出した宝くじ番号を、宝くじ券管理サーバ５に登録するか、或いは抽選結果と照合するかを選択する（ステップ：Ｓ４０６）。
登録モードを選択すると、登録されたユーザかを確認するため、ユーザＩＤの入力を促される（ステップ：Ｓ４０７）。
登録ユーザであれば、ユーザＩＤを入力する（ステップ：Ｓ４０８）。
【００２７】
未登録のユーザで、ユーザＩＤ登録を希望する場合には、前記宝くじ券管理サーバ５上の購入者情報テーブル４２にユーザ情報を登録し（ステップ：Ｓ４１１）、ユーザＩＤを発行させ（ステップ：Ｓ４１２）、再びステップＳ４０７に戻る。
このように、本システムは事前に購入者登録やユーザ登録を行っていない購入者であっても、システムの一部機能を使用することが可能であるという特長を有する。
従って、個人情報の漏洩等を危惧してユーザ登録を行わない購入者等であっても、ＲＦＩＤタグ読み取り・送受信装置３１を使用することによって、購入券の当外確認を極めて容易に、かつ確実に行うことが可能である。
【００２８】
ここで、ステップＳ４０７でユーザＩＤを入力すると、前記ステップＳ４０４にて検知した宝くじ番号と共に、前記宝くじ番号管理データベース４の購入宝くじ券情報テーブル４４に登録される（ステップ：Ｓ４０９）。
上記の全ての手続が完了すると、完了通知が表示され、登録処理が完了したことを通知する（ステップ：Ｓ４１０）。
【００２９】
又、上記ステップＳ４０６で、宝くじ券を確認するモードを選択した場合には、以下は未登録ユーザでも使用できる機能となり、ユーザ認証（ステップ：Ｓ４０７）を行わずにステップＳ４０４で認識した宝くじ番号と、データベース４の当選宝くじ番号テーブル４１に登録された当選番号４１１とを照合できる（ステップ：Ｓ４１４）。
照合の結果、一枚でも当選した券があれば、当たり券番号や等級、金額等の当選結果がユーザに通知される（ステップ：Ｓ４１５）。
又、当選した券が一枚も無かった場合には、外れた旨がユーザに通知される（ステップ：Ｓ４１６）。
【００３０】
他方、上記ステップＳ４０９にて、購入した宝くじ番号を登録すると、抽選後に自動的に抽選結果がユーザに通知される。図５は、宝くじ券管理サーバ５によって、抽選結果を通知する処理の流れを示すフローチャート図である。
抽選結果が出ると、該結果を宝くじ番号管理データベース４の当選宝くじ番号テーブル４１に反映・更新する（ステップ：Ｓ５０１）。
次いで、購入者情報テーブル４２より、登録されているユーザＩＤを１つ抽出する（ステップ：Ｓ５０２）。全てのユーザが抽出されたか否かをチェックした上で（ステップ：Ｓ５０３）、購入宝くじ券情報テーブル４４より、該抽出したユーザの購入した宝くじ番号を検出する（ステップ：Ｓ５０５）。
ステップＳ５０５で宝くじ番号が検出されたか否かをチェックし（ステップ：Ｓ５０６）、検出された場合には、更に、該宝くじ番号が当選宝くじ番号テーブル４１に存在するか否かをチェックする（ステップ：Ｓ５０９）。存在した場合には、その番号（当選番号、等級）を記録し（ステップ：Ｓ５１０）、再び上記ステップＳ５０５に戻り、該ユーザの購入した全ての宝くじ番号について処理を繰り返す。
【００３１】
購入者ＩＤの一つについて、全ての購入券番号について照会が終わったら、購入者情報テーブル４２より購入者のメールアドレス４２３を取得し（ステップ：Ｓ５０７）、当選枚数、当選番号、等級等の当選情報を購入者に送信する（ステップ：Ｓ５０８）。
上述ステップＳ５０２〜Ｓ５０８を繰り返し、全ての購入者に対して処理が完了するまで繰り返す。そして、抽出するＩＤが無くなったら、当該処理を終了する（ステップ：Ｓ５０４）。
【００３２】
次に、図６を用いて、アプリケーション６の詳細機能について説明する。
前記アプリケーション６は、端末機３１上で稼働し、ユーザがユーザＩＤを登録したり、購入券番号を登録・照会したりする際に利用するクライアント形式のアプリケーションであって、宝くじ券管理サーバ５に接続して必要な情報を取得・加工・表示させ、また購入券情報の送受信を行うために使用される。
【００３３】
端末機３１上でアプリケーション６を起動すると、例えば以下のモードが示される。
・ＲＦＩＤ検索モード（６０１）
・履歴表示モード（６０２）
・勝率計算（６０３）
・ランキング表示（６０４）
・累計計算（６０５）
そして、ユーザが指定したモードを実行すると、宝くじ番号管理データベース４にある購入宝くじ券情報テーブル４４より、当該ユーザが過去に購入した宝くじ情報を取得する（ステップ：Ｓ６０６）。
次いで、表示させる期間、店舗別表示の有無を指定する（ステップ：Ｓ６０７）。
更に、計算処理が必要な機能のみ、計算処理が行われる（ステップ：Ｓ６０８）。
そして、取得結果及び計算結果を表示する（ステップ：Ｓ６０９）。
【００３４】
以上より、アプリケーション６には、以下のような機能を備えている。
・システム利用者の登録機能（図４参照）
ユーザの登録を行い、利用者の識別ＩＤが発行・通知される。ユーザは該識別ＩＤ取得後は、該識別ＩＤを使用してログインすることが可能となる。
また、本システムの全ての機能を利用するために、必要不可欠な機能である。
・購入した宝くじ番号の登録機能（図４参照）
ＲＦＩＤ付き宝くじ券を購入した際に、該ＲＦＩＤ情報を読み込み端末を使用することにより、宝くじ番号及び販売店舗情報を一括して読み込み、管理サーバ
５に送信し、管理データベース４に登録する。
【００３５】
・抽選結果通知機能（図５参照）
抽選結果判明後に、登録されたユーザＩＤ及び購入券番号に対して、抽選結果を該ユーザの登録アドレス等の連絡先に通知する。
・宝くじ券抽出機能（図４参照）
主に、ユーザ登録を行っていない利用者が使用する機能であり、購入したＲＦＩＤタグ付きの宝くじ券が当選しているか否かについて、サーバに問い合わせ、抽選結果を受信する機能である。
詳しく述べれば、利用者は、端末機３１より購入した宝くじ券Ａの宝くじ番号を読み込み、宝くじ券管理サーバ５に接続する。そうすると、該管理サーバ５は、送信された宝くじ番号とデータベース４に記録されている当選番号とを照合し、当選しているくじがあるか否かを確認する。
これと同時に、該照会された宝くじ番号が、登録ユーザの購入くじでないことも認識される。これにより、当該照会くじが不正に使用されたくじでないことが確認される。
本機能によって、購入者はくじ券毎に一枚一枚目視によって当外を確認する作業が不要となり、瞬時に、また確実に当外確認ができることとなる。
【００３６】
・勝率計算機能（図７参照）
ここで用いる「勝率」とは、購入した枚数に対する当選した枚数の割合、或いは、購入した金額に対する当選した金額の割合を意味するものとする。
図７に、勝率計算機能の表表示画面７００と、グラフ表示画面７１３の一例を示す。
表表示画面７００の表示項目例として、「年」７０１、「購入枚数」７０２、「購入金額」７０３、「当選枚数」７０４、「当選金額」７０５、及び「勝率」７０６等が挙げられる。
年（７０１）以外の各項目にはチェックボックス７１２があり、該チェックボックスのチェックの有無により、下部のグラフ表示画面７１３への表示内容を選択・切り替え可能である。
グラフ表示画面７１３は、上部表７００から表示指定した内容をより視覚的に表示するグラフとして有効である。
図７では、一例として、購入枚数７０２と、当選金額７０５と、勝率７０６とにチェックが入っており、これに各々対応して、下部のグラフ表示画面では７０８、７０９、及び７１０の折れ線グラフが表示されている。また、各項目のメモリも指定したチェックの有無によってメモリ表示領域７０７に表示される。
【００３７】
また、ユーザは、勝率を計算する期間を例えば（ア）システムの利用開始から現在まで（イ）１年間（ウ）各シーズン等を選ぶことができるように設定することも可能である。更に、上記（ア）〜（ウ）の期間を選択した上で購入店舗別に絞り込み表示し、店舗別の勝率計算をするように設定することも可能である。
【００３８】
・ランキング表示機能（図８参照）
これは、過去に購入した宝くじ券の、当選金額の大きい順に表示させる機能である。図８は、該ランキング表示機能の画面の構成例を示している。
ランキングでは、「順位」８０１のほかに、「等級」８０２、「金額」８０３、「購入日」８０４、「宝くじ名」８０５、「購入場所」８０６等を表示可能である。
【００３９】
・履歴機能
過去に購入した宝くじに関する情報を、例えば購入日順に表示させる機能である。表示内容は、例えば、「購入日」、「宝くじ名」（例えば、第５回年末ジャンボ等）、「購入枚数」、「当選金額」「購入店舗」等である。
【００４０】
・累計表示機能
図９に、累計表示機能による表形式表示およびグラフ形式表示の一例を示す。
該累計表示機能とは、過去に購入した宝くじの金額面の成績を表したものであり、購入金額をマイナスで、当選金額をプラスで計算した金額を表示させる機能である。
図９の上部表９００の項目には、例えば、「年」９０１、「購入金額」９０２、「当選金額」９０３、「累計金額」９０４等を表示させるように設定する。
又、下部のグラフ９０５は、上部の表形式表示をより視覚的にわかりやすく表示するものとして有効である。
更に、上述の累計金額の算出および表示は、勝率と同様に、例えば（ア）システムの利用開始から現在まで（イ）１年間（ウ）各シーズン等を選ぶことができるように設定することも可能である。そして更に、上記（ア）〜（ウ）の期間を選択した上で購入店舗別に絞り込み表示し、店舗別の勝率計算をするように設定することも可能である。
【００４１】
次に、本発明者が提案する「おまけ宝くじ」について説明する。
この「おまけ宝くじ」とは、ＲＦＩＤタグ付きの宝くじ券に新たに付加するサービスである。図１０は「おまけ宝くじ」の概要図である。
上述したように、ＲＦＩＤタグ付き宝くじ券Ａには、ＲＦＩＤタグＡ１および宝くじ番号Ａ２が印刷されている。
ここで、宝くじ券の製造工場１において、ＲＦＩＤタグＡ１に宝くじ番号Ａ２を書き込む際に、もうひとつの別番号Ａ３を付与して書き込み、該別番号Ａ３を「おまけ宝くじ番号」とする。
【００４２】
おまけ宝くじ番号Ａ３は、ＲＦＩＤタグにのみ書き込まれて、券には印字されていない。従って購入者３は、該おまけ宝くじ券購入後にＲＦＩＤタグを読み込むための端末機３１を使用して、該端末機３１に接続されているモニタ３２等におまけ宝くじ番号を表示させることとなる。
おまけ宝くじ番号は外部から目視できないことと、券に付属して付与されているものであることから、宝くじ番号と異なり、おまけ宝くじ番号を指定して購入することはできない。従って、従来のように番号が目視できる宝くじに文字通り「おまけ」的なアミューズメント要素を加味させることを目的としたものである。
又、おまけ宝くじが当選しているか否かを判別するには、本システムを利用する必要があるため、該おまけ宝くじは、本システムを利用するユーザを増やすことを他の目的とする。
【００４３】
更に、上述の「おまけ宝くじ」から派生して、本発明者が考案する宝くじ券には番号が全く目視できない「ＲＦＩＤ宝くじ」について説明する。
ＲＦＩＤ宝くじは、紙ベースで券の販売を行うものの、券番号や当外情報は印字されないものとし、券に添付するＲＦＩＤタグにのみ券番号等の券情報を記録させるものである。
図１１は、該ＲＦＩＤ宝くじの概要図である。
【００４４】
ＲＦＩＤ宝くじ券１１０１は、ＲＦＩＤタグ１１０２を備えており、番号を印字する印字部は存在しない宝くじ券である。
ＲＦＩＤタグ内部には、少なくとも宝くじ番号データ１１０３を具備し、その内容はＲＦＩＤタグ読み込み端末機３１でのみ確認可能とする。端末機３１で読み込んだ券情報は、該端末機３１に接続されているモニタ３２等により表示され、これによってＲＦＩＤ宝くじ券の購入者は自分が購入した券番号を確認することが可能となる。
上述のように、くじの当外を確認するために従来とは異なる手段を導入することが可能となる宝くじのシステムであって、全く新規の宝くじサービスを提供するものである。
【図面の簡単な説明】
【００４５】
【図１】本発明によるＲＦＩＤタグ付き宝くじ管理システムの形態の一例を示す機能ブロック図である。
【図２】本実施の形態による管理データベースに格納するテーブルの構成例である。
【図３】本実施の形態による登録ユーザへの当選通知処理の流れを示す機能ブロック図である。
【図４】本実施の形態による端末機における処理の流れを示すフローチャート図である。
【図５】本実施の形態による宝くじ券管理サーバにおける処理の流れを示すフローチャート図である。
【図６】本実施の形態によりアプリケーションにおける処理の流れを示すフローチャート図である。
【図７】本実施の形態における勝率計算機能の表示例である。
【図８】本実施の形態におけるランキング表示機能の表示例である。
【図９】本実施の形態における累計表示機能の表示例である。
【図１０】本発明における「おまけ宝くじ」の概要を示す機能ブロック図である。
【図１１】本発明における「ＲＦＩＤ宝くじ」の概要を示す機能ブロック図である。
【符号の説明】
【００４６】
１  製造工場
１１  ＲＦＩＤタグ書き込み装置
２  販売店
２１  ＲＦＩＤタグ書き込み装置
３  ユーザ
３１  端末機
３２  モニタ
４  宝くじ番号管理データベース
４１  当選宝くじ番号テーブル
４２  購入者情報テーブル
４３  販売店舗テーブル
４４  購入宝くじ券情報テーブル
５  宝くじ券管理サーバ
５１  ＤＢ更新部
５２  検索処理部
５３  送受信部
６  アプリケーション
Ａ  ＲＦＩＤタグ付き宝くじ券
Ａ１  ＲＦＩＤタグ
Ａ２  宝くじ番号
Ａ３  おまけ宝くじ番号
Ｂ  包装物
Ｂ１  ＲＦＩＤタグ
【図１】
2007323597.tif 000003
【図２】
2007323597.tif 000004
【図３】
2007323597.tif 000005
【図４】
2007323597.tif 000006
【図５】
2007323597.tif 000007
【図６】
2007323597.tif 000008
【図７】
2007323597.tif 000009
【図８】
2007323597.tif 000010
【図９】
2007323597.tif 000011
【図１０】
2007323597.tif 000012
【図１１】
2007323597.tif 000013